(57)【要約】      （修正有）【課題】装飾を実施するにあたって、壁に穴を開け、配線を設置し、工事を施す必要がなく、コストが低く、そもそもの装飾を破ることがなく、安全性が高いホームエンターテインメントシステムを提供する。【解決手段】ホームエンターテインメントシステムは、エンターテインメント再生装置１００、ブルートゥース（登録商標）トランスミッタ１１０、リアオーディオ再生装置１２０、サブウーファーを有するフロントオーディオ再生装置１３０という四つの部分を含み、リアオーディオ再生装置は、リアメインエンクロージャー、リアサブエンクロージャー、リード線及びブルートゥース受信器からなり、フロントオーディオ再生装置は、フロントメインエンクロージャー、フロントサブエンクロージャー、サブウーファー、リード線及びブルートゥース受信器からなる。【選択図】図１
0003234568.tif 000002
【実用新案登録請求の範囲】
【請求項１】
エンターテインメント再生装置と、ブルートゥーストランスミッタと、フロントエンクロージャーと、リアエンクロージャーとを含むホームエンターテインメントシステムであって、
前記エンターテインメント再生装置（１００）は、ブルートゥーストランスミッタ（１１０）が一端に接続され、前記ブルートゥーストランスミッタ（１１０）は、無線電波により、フロントオーディオ再生装置（１３０）とリアオーディオ再生装置（１２０）との両方に接続される、ことを特徴とする、ホームエンターテインメントシステム。
【請求項２】
前記フロントオーディオ再生装置における右方音道メインエンクロージャーには、コントロールパネルが設置され、前記コントロールパネルは、オーディオの大きさ、曲戻し、曲送り、停止、再生の機能を制御する、ことを特徴とする、請求項１に記載のホームエンターテインメントシステム。
【請求項３】
フロントオーディオ再生装置（１３０）とリアオーディオ再生装置（１２０）との両方が接続されており、
前記リアオーディオ再生装置（１２０）は、リアオーディオ再生装置リード線（１２０１）、後左方音道サブエンクロージャー（１２０２）、及び後右方音道メインエンクロージャー（１２０３）を含み、前記後右方音道メインエンクロージャー（１２０３）にブルートゥース受信手段が内蔵され、前記後右方音道メインエンクロージャー（１２０３）は、無線電波によりブルートゥーストランスミッタ（１１０）に無線接続され、
前記フロントオーディオ再生装置（１３０）は、フロントオーディオ再生装置リード線（１３０１）、前左方音道サブエンクロージャー（１３０２）、前右方音道メインエンクロージャー（１３０３）及びサブウーファー（１３０４）を含み、前記ブルートゥーストランスミッタ（１１０）は、無線電波により、前記前右方音道メインエンクロージャー（１３０３）に接続される、ことを特徴とする、請求項１に記載のホームエンターテインメントシステム。
【請求項４】
前記ブルートゥーストランスミッタ（１１０）は、ＵＳＢインターフェースが一端に設置され、前記エンターテインメント再生装置（１００）は、ＵＳＢソケットを介してブルートゥーストランスミッタ（１１０）に接続される、ことを特徴とする、請求項１に記載のホームエンターテインメントシステム。
【考案の詳細な説明】
【技術分野】
【０００１】
本考案は、オーディオコンポエンターテインメントの技術分野に関し、特に、ホームエンターテインメントシステムに関する。
【背景技術】
【０００２】
インターネットを応用する技術がますます成熟化していくにつれ、個人の利用者が家で映画を見たり歌を歌ったりするニーズがますます高くなり、ホームエンターテインメントシステムを幅広く使うことが多くなる。ホームエンターテインメントシステムは、複数のエンクロージャーにより音道が異なるオーディオを同時に出力してステレオサラウンドの効果音が実現される。
【０００３】
従来のホームエンターテインメントは、装飾を実施するにあたって、壁に穴を開け、配線を設置し、工事を施すことにより、大型のオーディオコンポ装置を天井や壁に吊るすことが必要である。しかしながら、このような方法は、コストが高く、工事も必要となり、また、そもそもの装飾を破り、安全上のリスクが存在する。そして、我々は、ホームエンターテインメントシステムを提案する。
【考案の概要】
【考案が解決しようとする課題】
【０００４】
本考案は、従来の技術の不足を克服すべく、ホームエンターテインメントシステムを提供しており、このホームエンターテインメントシステムは、エンターテインメント再生装置を、二つのオーディオ再生装置に無線電波により接続してなるものであるため、四つの音道によるステレオサラウンドの効果音が実現される。使用の際には、効率が高く、便利性があり、しかも、壁に穴を開け、配線を設置し、工事を施す必要が無くなり、コストが低く、そもそもの装飾を破ることがなく、安全性が高い。
【課題を解決するための手段】
【０００５】
上記の技術的問題を解決するために、本考案は、以下の技術的手段を提供する。このホームエンターテインメントシステムは、エンターテインメント再生装置、ブルートゥース(登録商標)トランスミッタ、フロントエンクロージャー、リアエンクロージャーを含む。前記エンターテインメント再生装置は、ブルートゥーストランスミッタが一端に接続され、前記ブルートゥーストランスミッタは、無線電波によりフロントエンクロージャーとリアエンクロージャーとの両方に接続される。
【０００６】
本考案の好ましい技術的手段は、前記フロントオーディオ再生装置における右方音道メインエンクロージャーには、コントロールパネルが設置され、前記コントロールパネルは、オーディオの大きさ、曲戻し、曲送り、停止、再生の機能を制御する。
【０００７】
本考案の好ましい技術的手段は、フロントオーディオ再生装置とリアオーディオ再生装置との両方が接続されており、前記リアオーディオ再生装置は、リアオーディオ再生装置リード線、後左方音道サブエンクロージャー、後右方音道メインエンクロージャーを含み、前記後右方音道メインエンクロージャーにブルートゥース受信手段が内蔵され、前記後右方音道メインエンクロージャーは、無線電波によりブルートゥーストランスミッタに無線接続され、前記フロントオーディオ再生装置は、フロントオーディオ再生装置リード線、前左方音道サブエンクロージャー、前右方音道メインエンクロージャー及びサブウーファーを含み、前記ブルートゥーストランスミッタは、無線電波により、前記前右方音道メインエンクロージャーに接続される。
【０００８】
本考案の好ましい技術的手段は、前記ブルートゥーストランスミッタは、ＵＳＢインターフェースが一端に設置され、前記エンターテインメント再生装置は、ＵＳＢソケットを介してブルートゥーストランスミッタに接続される。
【考案の効果】
【０００９】
本考案は、従来の技術に比べると、得られる有益な効果は以下の通りである。
このホームエンターテインメントシステムは、エンターテインメント再生装置を、二つのオーディオ再生装置の両方に無線電波により接続してなるものであり、四つの音道によるステレオサラウンドの効果音が実現される。使用の際には、効率が高く、便利性があり、しかも、壁に穴を開け、配線を設置し、工事を施す必要が無くなり、コストが低く、そもそもの装飾を破ることがなく、安全性が高い。
【図面の簡単な説明】
【００１０】
【図１】本考案のシステム構成の模式図である。
【図２】本考案のリアエンクロージャーの模式図である。
【図３】本考案のフロントエンクロージャーの模式図である。
【考案を実施するための形態】
【００１１】
本考案による技術的手段、創作の特徴、達成しようとする目的及び効果を、より明確に分かるように、以下に、具体的な実施例に基づいて、本考案を詳しく説明するが、以下の実施例は、本考案の好ましい実施例に過ぎず、全てではない。当業者が実施形態における実施例に基づいて、進歩性を有する労働がない限りに取得可能な明細書の他の実施例は、いずれも、本考案の保護範囲に含まれる。下記の実施例における実験の方法は、特別な断りが無ければ、いずれも、通常の方法に該当しており、下記の実施例に使用される素材や試薬などについて、特別な説明が無ければいずれも市場から得られる。
【００１２】
実施例
図１に示すように、ホームエンターテインメントシステムは、エンターテインメント再生装置、ブルートゥーストランスミッタ、フロントオーディオ再生装置、リアオーディオ再生装置を含む。エンターテインメント再生装置１００は、ブルートゥーストランスミッタ１１０が一端に接続される。ブルートゥーストランスミッタ１１０は、無線電波により、フロントオーディオ再生装置１３０とリアオーディオ再生装置１２０との両方に接続される
【００１３】
このホームエンターテインメントシステムは、ブルートゥーストランスミッタ１１０により、エンターテインメント再生装置１００をリアエンクロージャー、フロントエンクロージャーに無線電波を介して接続されてなるため、左前、左後、右前、右後を有する４つの音道オーディオを生成することができ、ステレオサラウンドの効果音が実現される。従来のホームエンターテインメントやオーディオコンポエンターテインメントは、装飾を実施するにあたって、壁に穴を開け、配線を設置し、工事を施すことにより、大型のオーディオコンポ装置を天井や壁に吊るすことが必要である。しかしながら、このような方法は、コストが高く、工事も必要となり、また、そもそもの装飾を破り、安全上のリスクが存在する。そして、我々は、ホームエンターテインメントシステムを提案する。
【００１４】
他の実施例である。本実施例は、図２乃至図３に示すように、本考案の好ましい技術的手段として、フロントオーディオ再生装置における右方音道メインエンクロージャーには、コントロールパネルが設置され、コントロールパネルコントロールパネルは、オーディオの大きさ、曲戻し、曲送り、停止、再生の機能を制御する。
【００１５】
他の実施例である。本実施例は、図１乃至３に示すように、このホームエンターテインメントシステムは、二つのオーディオ再生装置を同時に接続することを特徴とする。まず、リアオーディオ再生装置１２０は、リアオーディオ再生装置リード線１２０１、後左方音道サブエンクロージャー１２０２、後右方音道メインエンクロージャー１２０３を含み、後右方音道メインエンクロージャー１２０３には、ブルートゥース受信手段が内蔵され、後右方音道メインエンクロージャー１２０３は、無線電波によりブルートゥーストランスミッタに無線接続される。次に、フロントオーディオ再生装置１３０は、フロントオーディオ再生装置リード線（１３０１）、前左方音道サブエンクロージャー１３０２、前右方音道メインエンクロージャー１３０３及びサブウーファー１３０４を含む。ブルートゥーストランスミッタ１１０は、無線電波により前右方音道メインエンクロージャー１３０３に接続される。
【００１６】
他の実施例である。本実施例は、図１に示すように、ブルートゥーストランスミッタ１１０は、ＵＳＢインターフェースが一端に設置され、エンターテインメント再生装置１００は、ＵＳＢソケットを介して、ブルートゥーストランスミッタ１１０に接続される。そして、エンターテインメント再生装置１００に複数の対象のブルートゥースの送信機能を有させることができる。
【００１７】
本考案では、他の明確な断りが無ければ、第二要件に対する第一要件の「上方」又は「下方」とは、第一要件と第二要件とを直接に接触してもよいし、第一要件と第二要件を、直接に接触することなく、両者間において他の要件を介して接触してもよい。しかも、第一要件が第二要件に対して「上側」、「上方」や「上面」に位置するとは、第一要件が第二要件に対して、真上や斜め上方に位置してもよいし、第一要件の水平高さが第二要件のほうよりも高いとしてもよい。また、第一要件が第二要件に対して「下側」、「下方」や「下面」に位置するとは、第一要件が第二要件に対して、真下や斜め下方に位置してもよいし、第一要件の水平高さが第二要件のほうよりも低いとしてもよい。
【００１８】
以上には、本考案に係る基本原理、主な特徴や本考案の利点を示して説明した。当業者にとっては、本考案が上記の実施例により限定されるものではないと理解するべきである。上記の実施例や明細書に記載されているのは、本考案の好ましい例に過ぎず、本考案を限定するものではなく、本考案の趣旨や範囲を逸脱しない限り、本考案について様々な変更や変形が可能であり、これらの変更や変形が保護しようとする本考案による範囲に含まれる。本考案が保護しようとする範囲は、添付されている実用新案登録請求の範囲及びその均等物に準ずる。
【符号の説明】
【００１９】
１００      エンターテインメント再生装置
１１０      ブルートゥーストランスミッタ
１２０      リアオーディオ再生装置
１２０１    リアオーディオ再生装置リード線
１２０２    リア左方音道サブエンクロージャー
１２０３    リア右方音道メインエンクロージャー
１３０      フロントオーディオ再生装置
１３０１    フロントオーディオ再生装置リード線
１３０２    フロント左方音道サブエンクロージャー
１３０３    フロント右方音道メインエンクロージャー
１３０４    サブウーファー
【図１】
0003234568.tif 000003
【図２】
0003234568.tif 000004
【図３】
0003234568.tif 000005
【手続補正書】
【提出日】令和3年8月23日(2021.8.23)
【手続補正１】
【補正対象書類名】実用新案登録請求の範囲
【補正対象項目名】全文
【補正方法】変更
【補正の内容】
【実用新案登録請求の範囲】
【請求項１】
エンターテインメント再生装置と、ブルートゥース（登録商標）トランスミッタと、フロントエンクロージャーと、リアエンクロージャーとを含むホームエンターテインメントシステムであって、
前記エンターテインメント再生装置（１００）は、ブルートゥース（登録商標）トランスミッタ（１１０）が一端に接続され、前記ブルートゥース（登録商標）トランスミッタ（１１０）は、無線電波により、フロントオーディオ再生装置（１３０）とリアオーディオ再生装置（１２０）との両方に接続される、ことを特徴とする、ホームエンターテインメントシステム。
【請求項２】
前記フロントオーディオ再生装置における右方音道メインエンクロージャーには、コントロールパネルが設置され、前記コントロールパネルは、オーディオの大きさ、曲戻し、曲送り、停止、再生の機能を制御する、ことを特徴とする、請求項１に記載のホームエンターテインメントシステム。
【請求項３】
フロントオーディオ再生装置（１３０）とリアオーディオ再生装置（１２０）との両方が接続されており、
前記リアオーディオ再生装置（１２０）は、リアオーディオ再生装置リード線（１２０１）、後左方音道サブエンクロージャー（１２０２）、及び後右方音道メインエンクロージャー（１２０３）を含み、前記後右方音道メインエンクロージャー（１２０３）にブルートゥース（登録商標）受信手段が内蔵され、前記後右方音道メインエンクロージャー（１２０３）は、無線電波によりブルートゥース（登録商標）トランスミッタ（１１０）に無線接続され、
前記フロントオーディオ再生装置（１３０）は、フロントオーディオ再生装置リード線（１３０１）、前左方音道サブエンクロージャー（１３０２）、前右方音道メインエンクロージャー（１３０３）及びサブウーファー（１３０４）を含み、前記ブルートゥース（登録商標）トランスミッタ（１１０）は、無線電波により、前記前右方音道メインエンクロージャー（１３０３）に接続される、ことを特徴とする、請求項１に記載のホームエンターテインメントシステム。
【請求項４】
前記ブルートゥース（登録商標）トランスミッタ（１１０）は、ＵＳＢインターフェースが一端に設置され、前記エンターテインメント再生装置（１００）は、ＵＳＢソケットを介してブルートゥース（登録商標）トランスミッタ（１１０）に接続される、ことを特徴とする、請求項１に記載のホームエンターテインメントシステム。